(57)【特許請求の範囲】
【請求項１】
金属屋根材に取付ける支持金具本体と這い樋が取着される這い樋支持部と前記支持金具本体と這い樋支持部とを連結する連結部とからなる這い樋支持金具であって、連結部を収縮した状態を初期状態とするコイルスプリングで形成してその一端部を支持金具本体に取付けると共に他端部を這い樋支持部に取付けて、該連結部を這い樋支持部の支持金具本体に対する高さを調整可能な高さ調整部とし、這い樋を金属屋根材の谷部に配設する場合には連結部のコイルスプリングを収縮した状態とし、這い樋を金属屋根材の山部と交差するように配設する場合には、連結部のコイルスプリングを伸張した状態として成ることを特徴とする這い樋支持金具。
【発明の詳細な説明】
【０００１】
【発明の属する技術分野】
本発明は、屋根材を葺いて構成した屋根上に這わせる這樋を屋根材に取付けるための技術に関するものである。
【０００２】
【従来の技術】
従来から２階建ての建物のような多層階の建物において各階の屋根に降った雨水を排水するには、上階の屋根の雨水を上階の屋根の軒先に配設した上階の軒樋に流し、これを上階の軒樋に接続した上階の縦樋に流し、更に、上階の縦樋から該上階の縦樋の下端に後端を接続し且つ下階の屋根上に這わせた這樋に流し、這樋の前端から下階の屋根の軒先に配設した下階の軒樋に流し、同時に下階の屋根の雨水を下階の軒樋に流し、下階の軒樋から下階の縦樋に流すというようにして排水していた。
【０００３】
ところで、金属屋根材上に這わせる這樋を取付けるに当たっては、這い樋支持金具が用いられていた。
【０００４】
金属屋根材１は図５に示すような形状をしており、金属屋根材１の前端部は、図５（ａ）（ｂ）に示すように、下方に向けて垂下した前縦片１５ａと前縦片１５ａの下端より前方に向けて突出した前横片１５ｂとで構成され、金属屋根材１の後端部は、上方に向けて突設した後縦片１６ａと後縦片１６ａの上端より後方向に向けて突出した後横片１６ｂとで構成される。また、横方向においては、図５（ａ）（ｃ）に示すように、山部１ａと谷部１ｂとが連続する波形状をしたものとなっている。このような構成の金属屋根材１を屋根下地９上に多数葺いて屋根Ａが構成される。そして、このようにして形成した屋根Ａ上には這い樋１０が配置されるが、この這い樋１０は金属屋根材１に対して図１１に示すような這い樋支持金具８’により取付けられる。
【０００５】
這い樋支持金具８’は図１１に示すように支持金具本体４’に這い樋支持部５を設けて構成してある。支持金具本体４’は弾性を有する金属板を折り曲げて本体部Ｈを形成してあり、本体部Ｈの下前端部から両側方及び後方に開口した横向きＵ字状をした引っ掛け部６を前方に突設している。引っ掛け部６の上横片６ａには孔が穿孔してあってこの上横片６ａの上面部には孔に連通してナット２５ａが溶接により固着してあり、ナット２５ａにねじ具２５ｂが螺合してある。また本体部Ｈには這い樋支持部５の下端部がかしめ具により回動自在に取付けてある。
【０００６】
しかして、金属屋根材１上に配置する這い樋１０を金属屋根材１に上記這い樋支持金具８’により支持するには、図１２に示すように、まず、金属屋根材１の谷部１ｂの前端部分に這い樋支持金具８’の横向きＵ状をした引っ掛け部６を引っ掛け、ねじ具２５ｂを螺進させてねじ具２５ｂの先端部で金属屋根材１の前端部上面を押圧することで這い樋支持金具８’を金属屋根材１に本固定する。這い樋支持金具８’を取付けた後、這い樋支持部５の回動側半体１３を回動して開き、這い樋１０を基部側半体１２に嵌め込み、その後に回動側半体１３を閉じて這い樋支持部５により這い樋１０を支持するものである。
【０００７】
しかしながら、このような這い樋支持金具８’は、図９に示すように、金属屋根材１の谷部１ｂに沿って這い樋１０を這わせるもので、図１０に示すように這い樋１０を山部１ａと交差するように這わせる場合には、這い樋支持金具８’の金属屋根材１に取付けられる部分から這い樋支持部５までの長さが短くて図１３に示すように這い樋１０が金属屋根材１の山部１ａを乗り越えられず、この場合には使用することができないものであった。（なお図１３においては、便宜上這い樋１０の方向を９０度回転させたものを示してある。）
【０００８】
【発明が解決しようとする課題】
本発明は上記の点に鑑みてなされたものであり、その目的とするところは、這い樋を金属屋根材の谷部に配設する場合でも、這い樋を金属屋根材の山部と交差するように配設する場合でも同一部材で対応することができる這い樋支持金具を提供することを課題とするものである。
【０００９】
【課題を解決するための手段】
上記課題を解決するために本発明に係る這い樋支持金具は、金属屋根材１に取付ける支持金具本体４と這い樋１０が取着される這い樋支持部５と前記支持金具本体４と這い樋支持部５とを連結する連結部７とからなる這い樋支持金具８であって、連結部７を収縮した状態を初期状態とするコイルスプリングで形成してその一端部を支持金具本体４に取付けると共に他端部を這い樋支持部５に取付けて、該連結部７を這い樋支持部５の支持金具本体４に対する高さを調整可能な高さ調整部とし、這い樋１０ａを金属屋根材１の谷部１ｂに配設する場合には連結部７ａのコイルスプリングを収縮した状態とし、這い樋１０ｂを金属屋根材１の山部１ａと交差するように配設する場合には、連結部７ａのコイルスプリングを伸張した状態として成ることを特徴とするものである。このような構成とすることで、這い樋１０を金属屋根材１の谷部１ｂに配設する場合でも、這い樋１０を金属屋根材１の山部１ａと交差するように配設する場合でも、同一の這い樋支持金具８で対応することが可能となり、更に、連結部７ａをコイルスプリングで形成してその一端部を支持金具本体４ａに取付けると共に他端部を這い樋支持部５に取付けて連結部７を這い樋支持部５の支持金具本体４に対する高さを調整可能な高さ調整部とし、這い樋１０ａを金属屋根材１の谷部１ｂに配設する場合には連結部７ａのコイルスプリングを収縮した状態とし、這い樋１０ｂを金属屋根材１の山部１ａと交差するように配設する場合には、連結部７ａのコイルスプリングを伸張した状態として配設することで、這い樋１０を金属屋根材１の谷部１ｂに配設する場合でも這い樋１０を金属屋根材１の山部１ａと交差するように配設する場合でも、簡単な構成の同一の這い樋支持金具８で対応することが可能となる。
【００１２】
【発明の実施の形態】
以下、本発明を添付図面に示す実施形態に基づいて説明する。
【００１３】
金属屋根材１は図５に示すような形状をしている。即ち、前後方向においては、図５（ａ），（ｂ）に示すように、金属屋根材１の前端部には下方に向けて垂下した前縦片１５ａと前縦片１５ａの下端より前方に向けて突出した前横片１５ｂとで構成される断面略Ｌ状をした前Ｌ状部１５が設けてあり、金属屋根材１の後端部には上方に向けて突設した後縦片１６ａと後縦片１６ａの上端より後方向に向けて突出した後横片１６ｂとで構成される断面逆Ｌ状をした後逆Ｌ状部１６が設けてある。また、横方向においては、図５（ａ），（ｂ）に示すように、山部１ａと谷部１ｂとが連続する波形状をしたものとなっている。
【００１４】
上記のような構成の金属屋根材１を屋根下地９上に多数葺いて屋根Ａを構成するのであるが、本発明においては図６に示すように、金属屋根材１は前端部を後述する吊り子金具２に引っ掛けると共に後端部を釘のような固着具１４により固着することで屋根下地９に取付けるようになっている。
【００１５】
すなわち、屋根下地９上には前後方向（軒と直交する方向）に一定間隔で横桟１７を載置して固着具により固着してある。ここで、前後における横桟１７間の間隔は金属屋根材１の前縦片１５ａと後縦片１６ａとの間の距離と略等しい間隔となっており、金属屋根材１を前後の横桟１７間に配置して、該金属屋根材１の前端部の断面Ｌ状をした前Ｌ状部１５の前横片１５ｂを下段の金属屋根材１の後端部とともに後述のようにして取付けた吊り子金具２の差し込み部３に図６のように差し込み且つ前縦片１５ａを前側の横桟１７の前面に近接対向させると共に、該金属屋根材１の後端部の断面逆Ｌ状をした後逆Ｌ状部１６の後縦片１６ａを後側の横桟１７の前面に近接対向させ且つ後横片１６ｂを後側の横桟１７の上面に載設して後述のようにして吊り子金具２と共に後横片１６ｂを固着具１４により横桟１７に固着する。
【００１６】
吊り子金具２は図７に示すようなもので、縦片部１８の上端から後方に向けて上横片部１９を突設し、縦片部１８の下端から前方に向けて下横片部２０を突設し、下横片部２０の先端部を斜め上後方に向けて折曲して差し込み部３を設けて構成してある。この吊り子金具２を金属屋根材１の後横片１６ｂと共に固着具１４により固着するには以下のようにして行うものである。つまり、図６に示すように、吊り子金具２の縦片部１８を金属屋根材１の後縦片１６ａの前面に近接対向させ、下横片部２０を金属屋根材１の上面に当接し、上横片部１９を後横片１６ｂ上面に当接し、この状態で上横片部１９から釘のような固着具１４を打ち込んで後横片１６ｂと共に上横片部１９を屋根下地９に固着した横桟１７に固着する。これにより金属屋根材１の後端部が屋根下地９に固着されることになる。
【００１７】
このようにして多数の金属屋根材１を次々と葺いて多層階の建物において下階及び上階の屋根Ａを形成するものである。上記屋根Ａは新築の場合に形成する屋根であってもよく、あるいは既設の古い屋根を屋根下地９としてこの上に新しく上記のようにして横桟１７を固着して新しい金属屋根材１を葺くことで形成する改装屋根であってもよい。
【００１８】
上記のようにして形成した多層階の建物の下階の屋根Ａ上には這い樋１０が配置されるが、この這い樋１０は下階の屋根Ａの金属屋根材１に対して図１に示すような這い樋支持金具８により取付けられる。
【００１９】
這い樋支持金具８は図１に示すように支持金具本体４ａと、這い樋が取着される這い樋支持部５と、支持金具本体４ａと這い樋支持部５とを連結する連結部７ａとで構成してある。支持金具本体４ａは弾性を有する金属板を折り曲げて形成してあり、取付け用横片２３の前端部から垂下片２４を垂下し、垂下片２４の下端から前方に上横片６ａを連出し、上横片６ａの前端から上横片６ａの下面側に沿って下横片６ｂを後方に向けて折り返してあり、上横片６ａと下横片６ｂとで両側方及び後方に開口した横向きＵ字状をした引っ掛け部６を構成している。上横片６ａには孔が穿孔してあってこの上横片６ａの上面部には孔に連通してナット２５ａが溶接により固着してあり、ナット２５ａにねじ具２５ｂが螺合してある。また、取付け用横片２３は部分的に下方に向けて円弧状に凸曲成してあってこの凸曲成した部分が、屋根材弾接部１１となっている。取付け用横片２３の屋根材弾接部１１間の部分には後述する連結部７ａが取付けられる取付部Ｔ１が切り起こされて形成してある。
【００２０】
這い樋支持部５は略半円状又は略コ字状をした基部側半体１２と、略半円状又は略コ字状をした回動側半体１３とで構成してある。基部側半体１２の中央部には、連結部７ａが取付けられる取付部Ｔ２が切起こされて形成してある。回動側半体１３の一端部と基部側半体１２の一端部とは軸支部分２７で回動自在に軸支してあり、また、回動側半体１３の他端の係合部１３ａが基部側半体１２の被係合部１２ａに係合自在となっている。
【００２１】
連結部７ａは、収縮した状態を初期状態とするコイルスプリングからなるもので、その下端部は上述した支持金具本体４ａの取付部Ｔ１に取付けられると共に上端部は這い樋支持部５の取付部Ｔ２に取付けられる。
【００２２】
しかして、下階の屋根Ａの金属屋根材１上に配置する這い樋１０を金属屋根材１に上記這い樋支持金具８により支持するには、まず、任意の金属屋根材１の谷部１ｂの前端の吊り子金具２を差し込み係止している部位以外の前端部分に這い樋支持金具８の横向きＵ状をした引っ掛け部６を引っ掛けると共に屋根材押え片４１を波形状の金属屋根材１の谷部１ｂの谷底上面に弾接し、これにより這い樋支持金具８が金属屋根材１の前端部分にがたつかないように仮取付けが行われる。
【００２３】
次に、ねじ具２５ｂを螺進させてねじ具２５ｂの先端部で金属屋根材１の前端部上面を押圧することで這い樋支持金具８を金属屋根材１に本固定する。この場合、上記のように這い樋支持金具８の支持金具本体４ａの弾性を利用して金属屋根材１の前端部にがたつかないように仮取付けした状態でねじ具２５ｂの締め付けによる本固定作業ができるので、屋根上という高所における作業に当たり、ねじ具２５ｂによる本固定作業が簡単且つ正確に行えることになる。また、本固定した状態でもねじ具２５ｂによる固定と支持金具本体４ａの弾性を利用して金属屋根材１の前端部への取付けとの協同でより確実に取付けられることになる。このようにして這い樋支持金具８を金属屋根材１の前端部に引っ掛けると共にねじ具２５ｂの先端により押圧して取付けたので、金属屋根材１の前端部に釘孔などがあかず、したがって、這い樋支持金具８を金属屋根材１の前端部に取付けても、取付け部分からの雨水の浸入のおそれがないものである。
【００２４】
金属屋根材１に這い樋支持金具８を取付けた後、這い樋支持部５の回動側半体１３を回動して開き、這い樋１０を基部側半体１２に嵌め込み、その後に回動側半体１３を閉じて係合部１３ａを被係合部１２ａに係合して這い樋支持部５により這い樋１０を支持するものである。ここで、屋根Ａ上を這わせる這い樋１０の向きが異なっても金属屋根材１の前端に取付けた支持金具本体４ａに対して這い樋支持部５を回動させることで対応できるものである。
【００２５】
上述したように這い樋支持金具８を取付けるのであるが、図１０に示すように這い樋１０ａを金属屋根材１の谷部１ｂに配設する場合には、図３（ａ），図１（ａ）に示すように連結部７ａのコイルスプリングは収縮した状態となり、図９に示すように這い樋１０ｂを金属屋根材１の山部１ａと交差するように配設する場合には、図３（ｂ），図１（ｂ）に示すように連結部７ａのコイルスプリングが伸張した状態となって、図２に示すように這い樋１０が金属屋根材１の山部１ａの上を這うようにすることができる。なお、図中のＳは軒樋を、Ｎは集水器を示す。
【００２６】
以上のような構成にすることで、コイルスプリングよりなる連結部７ａを支持金具本体４ａと這い樋支持部５との間に介在させて、這い樋支持部５に支持金具本体４ａに対する高さ調整部としてあるので、図１０に示すように這い樋１０ａを金属屋根材１の谷部１ｂに配設する場合でも、図９に示すように這い樋１０ｂを金属屋根材１の山部１ａと交差するように配設する場合でも、簡単な構成の同一の這い樋支持金具８で対応することが可能となる。
【００２７】
次に、他の実施形態について図４に基づいて説明する。本実施形態も基本的には上実施形態と同じであるため、主に異なる部分についてのみ説明する。本実施形態では、連結部７ｂ及び支持金具本体４ｂが異なるものである。
【００２８】
図４に示すように支持金具本体４ｂは、取付け用垂下片４０の下端から前方に屋根材押え片４１を連出し、屋根材押え片４１の前端から垂下片２４を垂下し、垂下片２４の下端から両側方及び後方に開口した横向きＵ字状をした引っ掛け部６を構成してある。また、連結部７ｂは、図１に示す上実施形態の支持金具本体４ａの取付け用横片２３と同形状をした横片７１と、横片７１の前端部から垂下した取付け用垂下片７２とで構成される。
【００２９】
図４に示すように、この取付け用垂直片４０と取付け用垂下片７２とには固着具挿通孔４２，７３がそれぞれ穿孔してあり、特に、連結部７ｂの取付け用垂下片７２に穿孔する固着具挿通孔７３は上下に長い縦長孔に形成してある。このような取付け用垂直片４０を形成した支持金具本体４ａと取付け用垂下片７２を形成した連結部７ｂとを固定するには、これらの固着具挿通孔４２，７３を連通させて固着具７４のボルト７４ｂを挿通する。そして、連結部７ｂの取付け用垂下片７２の固着具挿通孔７３内でボルト７４ｂが相対的に上下するように連結部７ｂを上下動させて、ナット７４ａを螺着して連結部７ｂに取付けられた這い樋支持部５の支持金具本体４ｂに対する高さを調整するものである。なお、連結部７ｂの取付け用垂下片７２の固着具挿通孔７３内でボルト７４ｂが下限に位置するように連結部７ｂを支持金具本体４ｂに固定した際、這い樋支持部５に取付ける這い樋１０が金属屋根材１の山部１ａの頂部と同レベルかそれより高い位置に位置するように形成してある
以上のような構成にすることで、連結部７ｂと支持金具本体４ｂとの固着具挿通孔４２，７３を連通させて這い樋支持部５との間に介在させて、這い樋支持部５に支持金具本体４ｂに対する高さ調整部としてあるので、図１０に示すように這い樋１０ａを金属屋根材１の谷部１ｂに配設する場合でも、図９に示すように這い樋１０ｂを金属屋根材１の山部１ａと交差するように配設する場合でも、簡単な構成の同一の這い樋支持金具８で対応することが可能となる。
【００３０】
【発明の効果】
上記のように本発明の請求項１記載の発明にあっては、金属屋根材に取付ける支持金具本体と這い樋が取着される這い樋支持部と前記支持金具本体と這い樋支持部とを連結する連結部とからなる這い樋支持金具であって、連結部を収縮した状態を初期状態とするコイルスプリングで形成してその一端部を支持金具本体に取付けると共に他端部を這い樋支持部に取付けて、該連結部を這い樋支持部の支持金具本体に対する高さを調整可能な高さ調整部とし、這い樋を金属屋根材の谷部に配設する場合には連結部のコイルスプリングを収縮した状態とし、這い樋を金属屋根材の山部と交差するように配設する場合には、連結部のコイルスプリングを伸張した状態としたので、這い樋を金属屋根材の谷部に配設する場合でも、這い樋を金属屋根材の山部と交差するように配設する場合でも、同一の這い樋支持金具で対応することが可能となり、更に、連結部をコイルスプリングで形成してその一端部を支持金具本体に取付けると共に他端部を這い樋支持部に取付けて連結部を這い樋支持部の支持金具本体に対する高さを調整可能な高さ調整部とし、這い樋を金属屋根材の谷部に配設する場合には連結部のコイルスプリングを収縮した状態とし、這い樋を金属屋根材の山部と交差するように配設する場合には、連結部のコイルスプリングを伸張した状態として配設することで、這い樋を金属屋根材の谷部に配設する場合でも這い樋を金属屋根材の山部と交差するように配設する場合でも、簡単な構成の同一の這い樋支持金具で対応することが可能となる。
【図面の簡単な説明】
【図１】本発明の一実施形態の這い樋支持金具を示し、（ａ）は這い樋支持部の支持金具本体に対する高さが低い状態の正面図であり、（ｂ）は這い樋支持部の支持金具本体に対する高さが高い状態の正面図であり、（ｃ）は支持金具本体の側面図であり、（ｄ）は支持金具本体の平面図である。
【図２】同上の実施形態において、這い樋支持部の支持金具本体に対する高さが高い状態で金属屋根材に取付けた状態を示す正面図である。
【図３】同上の実施形態において、（ａ）は這い樋支持部の支持金具本体に対する高さが低い状態の斜視図であり、（ｂ）は這い樋支持部の支持金具本体に対する高さが高い状態の斜視図である。
【図４】他の実施形態の這い樋支持金具を示し、（ａ）は這い樋支持部の支持金具本体に対する高さが低い状態の正面図であり、（ｂ）は這い樋支持部の支持金具本体に対する高さが高い状態の正面図であり、（ｃ）は這い樋支持部が取付けられた連結部の側面図であり、（ｄ）は支持金具本体の側面図であり、（ｅ）は這い樋支持部の支持金具本体に対する高さ調整の説明図である。
【図５】金属屋根材を示し、（ａ）は平面図であり、（ｂ）は（ａ）のＸ−Ｘ線の断面図であり、（ｃ）は正面図である。
【図６】金属屋根材の前端部を吊り子金具に差し込んで取付けている部分の断面図である。
【図７】同上に用いる吊り子金具の斜視図である。
【図８】建物の屋根に這い樋を配置した概略斜視図である。
【図９】建物の金属屋根材の山部と交差するように這い樋を配置した概略平面図である。
【図１０】建物の金属屋根材の谷部に這い樋を配置した概略平面図である。
【図１１】従来の這い樋支持金具の斜視図である。
【図１２】従来の這い樋支持金具を金属屋根材に取付けている部分の断面図である。
【図１３】従来の這い樋支持金具を金属屋根材に取付けた状態を示す正面図である。
【符号の説明】
１  金属屋根材
４  支持金具本体
５  這い樋支持部
７  連結部
８  這い樋支持金具
１０  這い樋
【図１】
0003626719.tif 000002
【図２】
0003626719.tif 000003
【図３】
0003626719.tif 000004
【図４】
0003626719.tif 000005
【図５】
0003626719.tif 000006
【図６】
0003626719.tif 000007
【図７】
0003626719.tif 000008
【図８】
0003626719.tif 000009
【図９】
0003626719.tif 000010
【図１０】
0003626719.tif 000011
【図１１】
0003626719.tif 000012
【図１２】
0003626719.tif 000013
【図１３】
0003626719.tif 000014